(57)【要約】【課題】  取り扱い性がよく、生産性に優れたマット材を提供する。【解決手段】  第１主面と、上記第１主面と反対側の第２主面と、第１端部と、上記第１端部と反対側の第２端部を有する平面視矩形状のマット材であって、上記マット材は、上記第１端部から所定の距離だけ上記第２端部に向かう領域である第１領域と、上記第１領域に隣接する第２領域とを有し、上記第１領域には複数の貫通孔が形成されており、上記マット材は、上記第１主面を内側にして少なくとも２周巻回されることになり、上記第１領域は、巻回された上記マット材において、１周目に位置することになり、上記第２領域は、巻回された上記マット材において、２周目に位置することになることを特徴とするマット材。【選択図】  図１
2020067033.tif 000002
【特許請求の範囲】
【請求項１】
第１主面と、前記第１主面と反対側の第２主面と、第１端部と、前記第１端部と反対側の第２端部を有する平面視矩形状のマット材であって、
前記マット材は、前記第１端部から所定の距離だけ前記第２端部に向かう領域である第１領域と、前記第１領域に隣接する第２領域とを有し、
前記第１領域には複数の貫通孔が形成されており、
前記マット材は、前記第１主面を内側にして少なくとも２周巻回されることになり、
前記第１領域は、巻回された前記マット材において、１周目に位置することになり、
前記第２領域は、巻回された前記マット材において、２周目に位置することになることを特徴とするマット材。
【請求項２】
前記マット材を側面視した際に、前記第１領域は、円状又は楕円状に巻回されることになる請求項１に記載のマット材。
【請求項３】
前記マット材を側面視した際に、前記第１領域は円状に巻回されることになり、
前記第１領域の長さをＬ１とし、前記マット材の厚さをＴとすると、
前記第２領域の長手方向の長さが、（Ｌ１＋２π×Ｔ）×０．９５〜（Ｌ１＋２π×Ｔ）×１．０５である請求項２に記載のマット材。
【請求項４】
前記マット材は、無機繊維からなり、前記第１領域の前記第１主面には、無機材料層が形成されている請求項１〜３のいずれかに記載のマット材。
【請求項５】
請求項１〜４のいずれかに記載のマット材を筒状体に挿入するマット材の挿入方法であって、前記マット材の第１主面が内側になるように、前記マット材の第１領域を巻回する、第１領域巻回工程と、
前記第１領域巻回工程の後、前記マット材の第２領域を、前記マット材の第１領域の第２主面を１周するように巻回する、第２領域巻回工程と、
前記第２領域巻回工程の後、前記マット材の長手方向と垂直な方向を挿入方向として前記マット材を前記筒状体に挿入する挿入工程とを含むことを特徴とするマット材の挿入方法。
【請求項６】
前記第１領域巻回工程及び前記第２領域巻回工程では、挿入方向側の前記マット材が凸状になるように前記マット材を螺旋状に巻回する請求項５に記載のマット材の挿入方法。
【請求項７】
前記第１領域巻回工程及び前記第２領域巻回工程では、挿入方向側の前記マット材が凹状になるように前記マット材を螺旋状に巻回する請求項５に記載のマット材の挿入方法。
【請求項８】
前記筒状体は、消音器である請求項５〜７のいずれかに記載のマット材の挿入方法。
【請求項９】
第１主面と、前記第１主面と反対側の第２主面と、第１端部と、前記第１端部と反対側の第２端部を有する平面視矩形状のマット材と、前記第１主面が接するように前記マット材が巻き付けられた管状体とからなる巻付体であって、
前記マット材は、前記管状体に少なくとも２周するように巻き付けられており、
前記第１主面と前記管状体とが接する１周目の前記マット材の領域は第１領域であり、
２周目の前記マット材の領域は、第２領域であり、
前記第１領域には複数の貫通孔が形成されており、
前記管状体の側壁には、管状体貫通孔が形成されていることを特徴とする巻付体。
【請求項１０】
前記管状体は、底部の形状が円状又は楕円状である請求項９に記載の巻付体。
【請求項１１】
前記管状体は、パンチングメタルからなる請求項９又は１０に記載の巻付体。
【請求項１２】
前記マット材は、無機繊維からなり、前記第１領域の前記第１主面には、無機材料層が形成されている請求項９〜１１のいずれかに記載の巻付体。
【発明の詳細な説明】
【技術分野】
【０００１】
本発明は、マット材、巻付体及びマット材の挿入方法に関する。
【背景技術】
【０００２】
従来、自動車等のエンジンの周囲に配置されるエンジンカバーや、エキゾーストマニホールドカバー、消音器等には、これらの部材から発せられる熱や音等を遮蔽、吸収するために防音断熱材が配設されている。
【０００３】
特許文献１には、遮音性能を向上させるために、表面に溝又は窪みが設けられた繊維集合体から成る遮音材であって、上記遮音材の表面に対し直角方向からみた該溝又は窪みの面積が該遮音材全面積の１〜１５％であり、且つ該溝又は窪みの深さが該遮音材の厚さの１〜４〜３／４である遮音材が開示されている。この特許文献１では、上記溝又は上記窪みを圧縮加工や切削加工等により設けることが記載されている。
【０００４】
また、特許文献２には、広い周波数領域において、良好な吸音特性を有し、また、目的等に応じて所望の周波数域での吸音特性を高くするため、マット状の多孔質体の音源と対向する側の面に皮膜が設けられ、上記皮膜と多孔質体とを連通する貫通孔が設けられた層と、音源と対向する側の面に皮膜が設けられ、貫通孔は設けられていない層とを積層してなる吸音構造体が開示されている。
【先行技術文献】
【特許文献】
【０００５】
【特許文献１】特開平１１−２０２８７３号公報
【特許文献２】特許第３７４１４１３号公報
【発明の概要】
【発明が解決しようとする課題】
【０００６】
しかしながら、特許文献１に係る遮音材では、１枚の材料に切削加工等により溝又は窪みを設けるため、切削加工等が終了すれば、直ぐに遮音材として使用することができ、取り扱い性は良い。しかしながら、上記遮音材では、所定の深さを有する有底孔を切削加工等により形成する必要があるため、製造に手間がかかり、生産性がよくないという問題がある。
【０００７】
一方、特許文献２に係る吸音構造体では、２枚の多孔質体のうち、１枚に貫通孔を形成すればよいので、簡単に各部材を製造することができるが、１枚に貫通孔を形成した後、両者を接着剤により貼り合わせる必要があるため、取り扱い性が良くないという問題がある。
また、接着剤を用いるため、層間に接着剤層が形成され、吸音性を阻害することが懸念される。
【０００８】
本発明は、このような問題に鑑みてなされたものであり、本発明の目的は、取り扱い性がよく、生産性に優れたマット材を提供することである。
【課題を解決するための手段】
【０００９】
すなわち、本発明のマット材は、
第１主面と、上記第１主面と反対側の第２主面と、第１端部と、上記第１端部と反対側の第２端部を有する平面視矩形状のマット材であって、
上記マット材は、上記第１端部から所定の距離だけ上記第２端部に向かう領域である第１領域と、上記第１領域に隣接する第２領域とを有し、
上記第１領域には複数の貫通孔が形成されており、
上記マット材は、上記第１主面を内側にして少なくとも２周巻回されることになり、
上記第１領域は、巻回された上記マット材において、１周目に位置することになり、
上記第２領域は、巻回された上記マット材において、２周目に位置することになることを特徴とする。
【００１０】
本発明のマット材は、貫通孔を有する第１領域と、第１領域に隣接する第２領域を有する。
本発明のマット材は、第１主面を内側にして、少なくとも２周巻回されることになる。
この際、第１領域は、巻回されたマット材において、１周目に位置することになり、第２領域は、巻回された上記マット材において、２周目に位置することになる。
すなわち、第１領域が巻回され、その外側（第１領域の第２主面側）を第２領域が巻回されることになる。
そのため、第１領域の第２主面側の貫通孔の底部には、第２領域の第１主面が位置することになる。つまり、巻回されたマット材では、マット材の内側に第１領域の貫通孔と第２領域の第１主面からなる有底孔が形成されることになる。
本発明のマット材を用いることにより、内側に有底孔を有する巻回されたマット材を容易に作製することができる。
【００１１】
なお、本発明のマット材において、第１領域及び第２領域は、本発明のマット材を少なくとも２周することにより定まり、１周目に巻回される領域が第１領域であり、２周目に巻回される領域が第２領域である。
【００１２】
本発明のマット材は、上記マット材を側面視した際に、上記第１領域は、円状又は楕円状に巻回されることが望ましい。
円状又は楕円状に巻回されたマット材は、外部からの圧力が集中しにくくなり、破損しにくくなる。
【００１３】
本発明のマット材は、上記マット材を側面視した際に、上記第１領域は円状に巻回されることになり、上記第１領域の長さをＬ１とし、上記マット材の厚さをＴとすると、上記第２領域の長手方向の長さが、（Ｌ１＋２π×Ｔ）×０．９５〜（Ｌ１＋２π×Ｔ）×１．０５であることが望ましい。
第１領域が円状に巻回される場合、マット材の厚さ、及び、第１領域の長さに基づき、第２領域の長さを容易に設計することができる。
【００１４】
本発明のマット材は、無機繊維からなり、上記第１領域の上記第１主面には、無機材料層が形成されていることが望ましい。
無機材料層が形成された本発明のマット材を、第１主面を内側にして巻回すると、本発明のマット材は良好な吸音機能を示す。
無機材料層が形成された本発明のマット材を巻回した場合、マット材の第１領域の第１主面は、音を受ける面になる。
マット材の第１領域の第１主面が音を受けると、その音は、第１領域の貫通孔の側壁、及び、第１領域の貫通孔の底部に位置する第２領域の第１主面まで到達することになる。その後、音は、反射され、減衰するともにマット材内で吸収されることになる。
また、一部の音は、マット材の第１領域の内部を通り、貫通孔が形成されていない第１領域の第１主面から外部に出ようとする。しかし、マット材の第１領域の第１主面には、無機材料層が形成されているので、この外部に出ようとする音は、無機材料層により反射される。その結果、音が外に漏れることを防ぐことができ、効率よく音を吸収することができる。
【００１５】
本発明のマット材の挿入方法は、
本発明のマット材を筒状体に挿入するマット材の挿入方法であって、
上記マット材の第１主面が内側になるように、上記マット材の第１領域を巻回する、第１領域巻回工程と、
上記第１領域巻回工程の後、上記マット材の第２領域を、上記マット材の第１領域の第２主面を１周するように巻回する、第２領域巻回工程と、
上記第２領域巻回工程の後、上記マット材の長手方向と垂直な方向を挿入方向として上記マット材を上記筒状体に挿入する挿入工程とを含むことを特徴とする。
【００１６】
本発明のマット材の挿入方法により、内側に有底孔を有する巻回されたマット材を容易に作製することができ、巻回されたマット材を容易に筒状体に挿入することができる。
【００１７】
本発明のマット材の挿入方法では、上記第１領域巻回工程及び上記第２領域巻回工程では、挿入方向側の上記マット材が凸状になるように上記マット材を螺旋状に巻回してもよい。
挿入方向側のマット材が凸状であると、巻回されたマット材を筒状体に挿入しやすくなる。
【００１８】
本発明のマット材の挿入方法では、上記第１領域巻回工程及び上記第２領域巻回工程では、挿入方向側の上記マット材が凹状になるように上記マット材を螺旋状に巻回してもよい。
巻回されたマット材を筒状体に挿入する際に、マット材と筒状体との摩擦により、巻回されたマット材が、挿入方向と逆の方向にずれることがある。
このようなずれをあらかじめ計算し、挿入方向側のマット材を凹状とすることにより、筒状体に挿入後の巻回されたマット材の側面を揃えることができる。
【００１９】
本発明のマット材の挿入方法では、上記筒状体は、消音器であることが望ましい。
本発明のマット材の挿入方法を用いることにより、効率的に消音器を製造することができる。
【００２０】
本発明の巻付体は、第１主面と、上記第１主面と反対側の第２主面と、第１端部と、上記第１端部と反対側の第２端部を有する平面視矩形状のマット材と、上記第１主面が接するように上記マット材が巻き付けられた管状体とからなる巻付体であって、
上記マット材は、上記管状体に少なくとも２周するように巻き付けられており、
上記第１主面と上記管状体とが接する１周目の上記マット材の領域は第１領域であり、
２周目の上記マット材の領域は、第２領域であり、
上記第１領域には複数の貫通孔が形成されており、
上記管状体の側壁には、管状体貫通孔が形成されていることを特徴とする。
【００２１】
本発明の巻付体では、マット材は、貫通孔を有する第１領域と、第１領域に隣接する第２領域を有する。
本発明の巻付体では、マット材の第１主面を内側にして、第１領域が管状体に巻付けられ、その外側（すなわち第１領域の第２主面側）を第２領域が巻き付けられている。マット材の第１領域の第２主面側の貫通孔の底部には、マット材の第２領域の第１主面が位置する。そのため、本発明の巻付体では、マット材の第１領域の貫通孔とマット材の第２領域の第１主面とが有底孔を形成している。
このような巻付体は、第１領域に貫通孔を形成したマット材を用いることにより容易に作製することができる。
【００２２】
本発明の巻付体では、上記管状体は、底部の形状が円状又は楕円状であることが望ましい。
管状体の底部の形状が円状又は楕円状であると、マット材は、管状体に円状又は楕円状に巻き付いている。
このように巻き付けられたマット材は、外部からの圧力が集中しにくくなり、破損しにくくなる。
【００２３】
本発明の巻付体では、上記管状体は、パンチングメタルからなることが望ましい。
パンチングメタルは、消音器における消音機構として機能する。
そのため、本発明の巻付体をそのまま消音器の部品として使用することができる。
【００２４】
本発明の巻付体では、上記マット材は、無機繊維からなり、上記第１領域の上記第１主面には、無機材料層が形成されていることが望ましい。
本発明の巻付体は、筒状の消音器に挿入されることになる。この際、マット材の第１領域の第１主面は、管状体の管状体貫通孔を通った音を受ける面になる。
マット材の第１領域の第１主面が音を受けると、その音は、第１領域の貫通孔の側壁、及び、第１領域の貫通孔の底部に位置する第２主面の第１領域まで到達することになる。その後、音は、反射され、減衰するともにマット材内で吸収されることになる。
また、一部の音は、マット材の第１領域の内部を通り、貫通孔が形成されていない第１領域の第１主面から外部に出ようとする。しかし、マット材の第１領域の第１主面には、無機材料層が形成されているので、この外部に出ようとする音は、無機材料層により反射される。その結果、音が外に漏れることを防ぐことができ、効率よく音を吸収することができる。
【図面の簡単な説明】
【００２５】
【図１】図１（ａ）は、本発明の第１実施形態に係るマット材の一例を模式的に示す斜視図である。図１（ｂ）は、図１（ａ）に示すマット材が巻回された状態を模式的に示す斜視図である。図１（ｃ）は、図１（ｂ）に示すマット材の貫通孔部分を拡大した拡大図である。
【図２】図２は、本発明の第１実施形態に係るマット材を円状に巻回する場合の一例を模式的に示す側面図である。
【図３】図３（ａ）は、第１端部及び第２端部が斜めに形成されている本発明の第１実施形態に係るマット材の一例を模式的に示す側面図である。図３（ｂ）は、図３（ａ）に示すマット材を巻回した状態を示す側面図である。
【図４】図４（ａ）及び（ｂ）は、本発明のマット材の製造方法の一例を模式的に示す工程図である。
【図５】図５（ａ）〜（ｃ）は、本発明の第１実施形態に係るマット材の挿入方法の一例を順に模式的に示す工程図である。
【図６】図６（ａ）及び（ｂ）は、本発明の第１実施形態に係るマット材の挿入方法の変形例を示す工程図である。
【図７】図７（ａ）〜（ｃ）は、本発明の第１実施形態に係るマット材の挿入方法の別の変形例を示す工程図である。
【図８】図８（ａ）は、本発明の第２実施形態に係るマット材の一例を模式的に示す斜視図である。図８（ｂ）は、図８（ａ）に示すマット材が巻回された状態を模式的に示す斜視図である。図８（ｃ）は、図８（ｂ）に示すマット材の貫通孔部分を拡大した拡大図である。
【図９】図９は、本発明の第２実施形態に係るマット材の消音機能の原理を模式的に説明する模式図である。
【図１０】図１０は、本発明の第３実施形態に係る巻付体の一例を模式的に示す斜視図である。
【図１１】図１１（ａ）は、本発明の第３実施形態に係る巻付体に用いられるマット材の一例を模式的に示す斜視図である。図１１（ｂ）は、図１１（ａ）に示すマット材が巻回された状態を模式的に示す斜視図である。
【図１２】図１２は、本発明の第３実施形態に係る巻付体に用いられる管状体の一例を模式的に示す斜視図である。
【００２６】
（発明の詳細な説明）
以下、本発明のマット材について具体的に説明する。しかしながら、本発明は、以下の実施形態に限定されるものではなく、本発明の要旨を変更しない範囲において適宜変更して適用することができる。
【００２７】
（第１実施形態）
以下、本発明の第１実施形態に係るマット材について図面を用いながら説明する。
図１（ａ）は、本発明の第１実施形態に係るマット材の一例を模式的に示す斜視図である。図１（ｂ）は、図１（ａ）に示すマット材が巻回された状態を模式的に示す斜視図である。
【００２８】
図１（ａ）に示すように、マット材１０は、第１主面１１と、第１主面１１と反対側の第２主面１２と、第１端部１３と、第１端部１３と反対側の第２端部１４を有する平面視矩形状である。
マット材１０は、第１端部１３から距離Ｌ１だけ第２端部１４に向かう領域である第１領域１５と、第１領域１５に隣接する第２領域１６とを有する。
そして、第１領域１５には複数の貫通孔２１が形成されている。
【００２９】
図１（ｂ）に示すように、マット材１０は、第１主面１１を内側にして少なくとも２周巻回されることになる。
巻回されたマット材１０において、第１領域１５は１周目に位置することになり、第２領域１６は２周目に位置することになる。
つまり、第１領域１５が巻回され、その外側（第１領域１５の第２主面１２側）を第２領域１６が巻回されることになる。
【００３０】
そのため、図１（ｃ）に示すように、第１領域１５の第２主面１２側の貫通孔２１の底部２１ａには、第２領域１６の第１主面１１が位置することになる。つまり、巻回されたマット材１０では、マット材１０の内側に第１領域１５の貫通孔２１と第２領域１６の第１主面１１からなる有底孔２２が形成されることになる。
マット材１０を用いることにより、内側に有底孔２２を有する巻回されたマット材１０を容易に作製することができる。
【００３１】
本発明の第１実施形態に係るマット材では、マット材の厚さ（図１（ａ）中、符号「Ｔ」で示す幅）は、１．５〜２５ｍｍであることが望ましく、５〜１０ｍｍであることがより望ましい。
マット材の厚さが１．５ｍｍ未満であるとマット材の強度が弱くなりやすい。
マット材の厚さが２５ｍｍを超えると、マット材を巻回しにくくなる。
【００３２】
本発明の第１実施形態に係るマット材では、マット材は、無機繊維からなることが望ましい。
無機繊維としては、アルミナ繊維、アルミナ−シリカ繊維、シリカ繊維、グラスウール、ロックウール等が挙げられる。これらの中では、アルミナ−シリカ繊維であることが望ましい。
これらの無機繊維は耐熱性が高く、このような無機繊維により形成されたマット材は、温度変化によって形状変化しにくい。
【００３３】
さらに、無機繊維にアルミナ−シリカ繊維を用いる場合、アルミナとシリカの組成比は、重量比でアルミナ（Ａｌ２Ｏ３）：シリカ（ＳｉＯ２）＝６０：４０〜８０：２０であることが望ましく、アルミナ（Ａｌ２Ｏ３）：シリカ（ＳｉＯ２）＝７０：３０〜７４：２６であることがより望ましい。
【００３４】
また、無機繊維からなるマット材は、種々の方法により得ることができるが、ニードリング法又は抄造法により製造することが望ましい。
【００３５】
ニードリング法によって得られる無機繊維からなるマット材は交絡構造を呈する。この構造を得るためには、無機繊維はある程度の平均繊維長を有することが必要である。よって、ニードリング法に用いられる無機繊維の平均繊維長は、１〜１５０ｍｍであることが望ましく、１０〜８０ｍｍであることがより望ましい。
無機繊維の平均繊維長が１ｍｍ未満であると、無機繊維の繊維長が短すぎるため、無機繊維同士の交絡が不充分となり、マット材の強度が得られにくくなり、マット材の形状保持性が低下しやすくなる。
繊維の平均繊維長が１５０ｍｍを超えると、繊維の繊維長が長すぎるため、マット材を構成する繊維本数が減少するため、緻密性が低下する。
【００３６】
抄造法によって得られる無機繊維からなるマット材では、無機繊維の平均繊維長は、０．１〜２０ｍｍであることが好ましい。
無機繊維の平均繊維長が０．１ｍｍ未満であると、無機繊維の繊維長が短すぎるため、マット材としての形状保持性が低下してしまう。さらに、マット材として繊維集合体にしたときに無機繊維同士に好適な絡み合いが起こらず、充分な面圧を得ることが困難になる。
無機繊維の平均繊維長が２０ｍｍを超えると、無機繊維の繊維長が長すぎるため、抄造工程で水に無機繊維を分散したスラリー溶液中の無機繊維同士の絡み合いが強くなりすぎるため、マット材としたときに無機繊維が不均一に集積しやすくなり、せん断強度も低下しやすくなる。
【００３７】
無機繊維長の測定は、ニードリング法や抄造法ともにピンセットを使用して、マット材から無機繊維が破断しないように抜き取り、光学顕微鏡を使用して繊維長を測定する。
本明細書において、平均繊維長とは、マット材から無機繊維３００本を抜き取り、繊維長を計測した平均長さを意味する。マット材から無機繊維を破断せずに抜き取れない場合、マット材を脱脂処理して、脱脂済みマット材を水の中へ投入し、無機繊維同士の絡みをほぐしながら無機繊維が破断しないように採取すると良い。
【００３８】
マット材を形成する無機繊維の平均繊維径は、１〜２０μｍであることが望ましく、２〜１５μｍであることがより望ましく、３〜１０μｍであることがさらに望ましい。
無機繊維の平均繊維径が１μｍ未満であると、強度が弱く、衝撃等により無機繊維が裁断されやすくなる。
無機繊維の平均繊維径が２０μｍを超えると、繊維径が太すぎ無機繊維自体のヤング率が高くなりマット材の柔軟性が低くなりやすくなる。
【００３９】
本発明の第１実施形態に係るマット材において貫通孔は、柱状に形成されていることが望ましい。柱状としては、円柱状、楕円柱状、三角柱状、四角柱状、五角柱状、六角柱状、八角柱状等の形状が挙げられる。
また、その底面の面積は、０．２０〜１５ｍｍ２であることが望ましく、２．０〜７．０ｍｍ２であることがより望ましい。
【００４０】
本発明の第１実施形態に係るマット材では、貫通孔は等間隔で配列されていることが望ましい。
このような配列としては特に限定されないが、以下のような配列パターンが挙げられる。
すなわち、貫通孔は、正三角形を縦横に連続的に並べた平面において、貫通孔の中心が正三角形の頂点に位置するように配列されていてもよい。
また、貫通孔は、正方形を縦横に連続的に並べた平面において、貫通孔の中心が正方形の頂点に位置するように配列されていてもよい。
また、貫通孔は、正六角形を縦横に連続的に並べた平面において、貫通孔の中心が正六角形の頂点に位置するように配列されていてもよい。
【００４１】
また、本発明の第１実施形態に係るマット材では、貫通孔は、第１領域の全面に形成されていてもよく、第１領域の一部のみに形成されていてもよい。
【００４２】
本発明の第１実施形態に係るマット材では、第１領域の長さＬ１は、特に限定されないが、１０〜６０ｃｍであることが望ましく、１５〜３０ｃｍであることがより望ましい。
【００４３】
上記の通り、本発明の第１実施形態に係るマット材は巻回されることになる。
マット材は、円状、楕円状、三角形状、四角形状等に巻回されてもよい。これらの中では、円状又は楕円状が望ましく、円状であることがより望ましい。
【００４４】
本発明の第１実施形態に係るマット材の第２領域の長さは、マット材の厚さ及び巻回の形状に合わせ適宜決定することが望ましい。
マット材が円状に巻回される場合を例に挙げ、マット材の第２領域の長さを説明する。
【００４５】
図２は、本発明の第１実施形態に係るマット材を円状に巻回する場合の一例を模式的に示す側面図である。
図２に示すように、マット材１０を円状に巻回する場合、第１領域１５の長さをＬ１とすると、第１領域１５の第１主面１１が形成する円の円周はＬ１となり、半径は、Ｌ１／２πと算出されることになる。
また、マット材１０の厚さをＴとすると、第１領域１５の第２主面１２が形成する円の半径は、Ｔ＋Ｌ１／２πと計算されることになる。
マット材１０の第２領域１６は、この外側に巻回されることになるので、第２領域１６の長さは、２π×（Ｔ＋Ｌ１／２π）＝Ｌ１＋Ｔ×２πと計算されることになる。
【００４６】
なお、マット材１０の伸縮性や柔軟性により、マット材１０の巻回しやすさは異なる。
そのため、２周目となる第２領域の長さは、マット材１０の伸縮性や柔軟性に基づき調整することが望ましい。マット材１０の伸縮性や柔軟性を考慮すると、第２領域１６の長さは、（Ｌ１＋２π×Ｔ）×０．９５〜（Ｌ１＋２π×Ｔ）×１．０５であることが望ましい。
【００４７】
また、マット材１０を円状に巻回する場合、Ｌ１は１００〜６００ｍｍであることが望ましく、１５０〜３００ｍｍであることがより望ましい。
【００４８】
マット材を楕円状や多角形状に巻回する場合も、第１領域１５の長さにより第２領域１６の長さも決定されることになる。
この場合も、マット材の伸縮性や柔軟性に基づき第２領域の長さを調整することが望ましい。
【００４９】
本発明の第１実施形態に係るマット材では、マット材を巻回した際に内周面に段差が生じないような形状で第１端部及び第２端部が形成されていてもよい。
すなわち、第１端部では、第１主面の端部が、第２主面の端部よりも外側に配置されるように、直線状又は曲線状に形成されていてもよい。
また、第２端部では、第１主面の端部が、第２主面の端部よりも内側に配置されるように、直線状又は曲線状に形成されていてもよい。
【００５０】
第１端部及び第２端部が斜めに形成されている本発明の第１実施形態に係るマット材の形状を以下に図面を用いて詳述する。
図３（ａ）は、第１端部及び第２端部が斜めに形成されている本発明の第１実施形態に係るマット材の一例を模式的に示す側面図である。図３（ｂ）は、図３（ａ）に示すマット材を巻回した状態を示す側面図である。
【００５１】
図３（ａ）に示すように、マット材１０では、第１端部１３側の第１主面１１の端部１１ａが、第１端部１３側の第２主面１２の端部１２ａよりも外側に配置されるように、第１端部１３が斜めに形成されていてもよい。また、第２端部１４側の第１主面１１の端部１１ｂが、第２端部１４側の第２主面１２の端部１２ｂよりも内側に配置されるように、第２端部１４が斜めに形成されていてもよい。
【００５２】
第１端部１３及び第２端部１４がこのような形状であると、図３（ｂ）に示すように、第１主面１１が内側になるようにマット材１０を巻回した際に、マット材１０の内周面に段差が生じにくくなる。
第１端部１３及び第２端部１４が斜めに形成されている場合、その角度は特に限定されず、マット材１０の材質、長さ、厚さ、巻回される形状に応じて適宜決定することが望ましい。
【００５３】
本発明の第１実施形態に係るマット材は、巻回された後、その形状を保持するために無機バインダ等により固定されてもよく、テープ等により固定してもよい。
【００５４】
無機バインダを用いて固定する場合には、マット材の第１領域の第２主面に無機バインダを塗布してからマット材を巻回し、その後、無機バインダを乾燥させることによってマット材を固定してもよい。
無機バインダとしは特に限定されずアルミナゾル、シリカゾル等が使用できる。
【００５５】
次に、本発明の第１実施形態に係るマット材の製造方法の一例を説明する。
以下の説明する本発明のマット材の製造方法は、（１）繊維層作製工程及び（２）貫通孔形成工程を含む。
図４（ａ）及び（ｂ）は、本発明のマット材の製造方法の一例を模式的に示す工程図である。
【００５６】
（１）繊維層作製工程
図４（ａ）に示すように、本工程では、繊維層１０´を準備する。繊維層１０´を準備する方法は特に限定されない。以下に、その一例である抄造法による繊維層１０´を準備する方法を説明する。以下に説明する抄造法は、混合液調製ステップと、脱水ステップと、加熱加圧ステップとを含んでいる。
【００５７】
（混合液調製ステップ）
繊維と、無機バインダと、水とを混合し、撹拌機で撹拌することにより混合液を調製する。この際、必要に応じて無機粒子や、有機バインダも混合してもよい。なお、本ステップで用いる繊維の望ましい種類等は、既に説明しているのでここでの説明は省略する。
【００５８】
（脱水ステップ）
混合液調整ステップにより得られた混合液を底面にろ過用のメッシュが形成された成形器に流し込む。その後、混合液中の水を、メッシュを介して脱水することにより原料シートを作製する。
【００５９】
（加熱加圧ステップ）
原料シートを加熱加圧し、繊維層を作製する。また、加熱加圧の際、原料シートに熱風を通気させて乾燥する熱処理をしてもよくし、あるいは熱処理をせずに湿潤状態としてもよい。
以上のステップを経て繊維層を準備することができる。
【００６０】
なお、上記の通り、本発明の第１実施形態に係るマット材は、少なくとも２周巻回されることになり、１周目が第１領域となり、２周目が第２領域となる。
繊維層作製工程では、第１領域となる領域１５´及び第２領域となる領域１６´を決定する。
【００６１】
（２）貫通孔形成工程
図４（ｂ）に示すように、本工程では、上記（１）繊維層作製工程にて作製した繊維層１０´の第１領域となる領域１５´に、貫通孔２１を形成する。貫通孔２１の形状等は既に説明しているのでここでの説明は省略する。
貫通孔２１を形成する方法は、特に限定されないが、例えば、カッター、レーザー、ドリル等を用いて繊維層１０´を貫通する方法が挙げられる。
【００６２】
以上の工程を経て、第１領域１５及び第２領域１６を有し、第１領域１５に複数の貫通孔２１が形成されているマット材１０を製造することができる。
【００６３】
次に、本発明の第１実施形態に係るマット材の使用方法である、本発明の第１実施形態に係るマット材の挿入方法について説明する。
【００６４】
本発明の第１実施形態に係るマット材の挿入方法は、上記本発明の第１実施形態に係るマット材を筒状体に挿入するマット材の挿入方法である。
この挿入方法は、（１）第１領域巻回工程、（２）第２領域巻回工程及び（３）挿入工程を含む。以下各工程について図面を用いながら説明する。
図５（ａ）〜（ｃ）は、本発明の第１実施形態に係るマット材の挿入方法の一例を順に模式的に示す工程図である。
【００６５】
（１）第１領域巻回工程
本工程では、図５（ａ）に示すように、マット材１０の第１主面１１が内側になるように、マット材１０の第１領域１５を巻回する。
なお、図５（ａ）では、マット材１０は円形に巻回されているが、マット材１０は、円状以外に、楕円状、三角形状、四角形状等に巻回されてもよい。
【００６６】
（２）第２領域巻回工程
本工程では、図５（ｂ）に示すように、マット材１０の第２領域１６を、マット材１０の第１領域１５の第２主面１２を１周するように巻回する。
これにより、第１領域１５の第２主面１２側の貫通孔２１の底部には、第２領域１６の第１主面１１が位置することになる。つまり、第２領域巻回工程後のマット材１０では、マット材１０の内側に第１領域１５の貫通孔２１と第２領域１６の第１主面１１からなる有底孔２２が形成されることになる。
【００６７】
（３）挿入工程
本工程では、図５（ｃ）に示すように、マット材１０の長手方向と垂直な方向を挿入方向として、マット材１０を筒状体４０に挿入する。
【００６８】
筒状体４０の内径は、特に限定されないが、巻回されたマット材１０の直径の９０〜１１０％の大きさであることが望ましく、９５〜１０５％の大きさであることがより望ましい。
筒状体の内径が、巻回されたマット材の直径の９０％未満であると、巻回されたマット材を筒状体に挿入しにくくなる。
筒状体の内径が、巻回されたマット材の直径の１１０％を超えると、巻回されたマット材が筒状体から脱落しやすくなる。
【００６９】
以上の工程を経ることにより、内側に有底孔２２を有する巻回されたマット材１０を容易に作製することができ、巻回されたマット材１０を容易に筒状体４０に挿入することができる。
【００７０】
なお、第１領域巻回工程及び第２領域巻回工程では、以下のように第１領域及び第２領域を巻回してもよい。
図６（ａ）及び（ｂ）は、本発明の第１実施形態に係るマット材の挿入方法の変形例を示す工程図である。
図７（ａ）〜（ｃ）は、本発明の第１実施形態に係るマット材の挿入方法の別の変形例を示す工程図である。
【００７１】
本発明の第１実施形態に係るマット材の挿入方法の第１領域巻回工程及び第２領域巻回工程では、図６（ａ）に示すように、挿入方向側（図６（ａ）中、矢印で示す方向）のマット材１０が凸状になるようにマット材１０を螺旋状に巻回してもよい。
挿入方向側のマット材１０が凸状であると、図６（ｂ）に示すように、巻回されたマット材１０を筒状体４０に挿入しやすくなる。
【００７２】
本発明の第１実施形態に係るマット材の挿入方法の第１領域巻回工程及び第２領域巻回工程では、図７（ａ）に示すように、挿入方向側（図７（ａ）中、矢印で示す方向）のマット材１０が凹状になるようにマット材１０を螺旋状に巻回してもよい。
【００７３】
筒状体４０にマット材１０を挿入すると、図７（ｂ）に示すように、マット材１０と筒状体４０との摩擦により、筒状体４０と接触するマット材１０の部分が挿入方向と反対方向にずれることになる。
【００７４】
このようなずれをあらかじめ計算して、挿入方向側のマット材１０を凹状とすることにより、図７（ｃ）に示すように、筒状体４０に挿入後の巻回されたマット材１０の側面を揃えることができる。
【００７５】
（第２実施形態）
次に、本発明の第２実施形態に係るマット材を説明する。
図８（ａ）は、本発明の第２実施形態に係るマット材の一例を模式的に示す斜視図である。図８（ｂ）は、図８（ａ）に示すマット材が巻回された状態を模式的に示す斜視図である。図８（ｃ）は、図８（ｂ）に示すマット材の貫通孔部分を拡大した拡大図である。
【００７６】
図８（ａ）に示すように、マット材１１０は、第１主面１１１と、第１主面１１１と反対側の第２主面１１２と、第１端部１１３と、第１端部１１３と反対側の第２端部１１４を有する平面視矩形状であり、無機繊維からなる。
マット材１１０は、第１端部１１３から距離Ｌ２だけ第２端部１１４に向かう領域である第１領域１１５と、第１領域１１５に隣接する第２領域１１６とを有する。
そして、第１領域１１５の第１主面１１１には、無機材料層１３１が形成されている
【００７７】
上記本発明の第１実施形態に係るマット材１０と、本発明の第２実施形態に係るマット材１１０との違いは、マット材１１０が無機繊維からなることが必須であり、第１領域１１５の第１主面１１１に無機材料層１３１が形成されていることである。その他の構成は同じであってもよい。
【００７８】
図８（ｂ）に示すように、マット材１１０は、第１主面１１１を内側にして少なくとも２周巻回されることになる、
巻回されたマット材１１０において、第１領域１１５は１周目に位置することになり、第２領域１１６は２周目に位置することになる。
つまり、第１領域１１５が巻回され、その外側（第１領域１１５の第２主面１１２側）に第２領域１１６が巻回されることになる。
【００７９】
そのため、第１領域１１５の第２主面１１２側の貫通孔１２１の底部１２１ａには、第２領域１１６の第１主面１１１が位置することになる。つまり、巻回されたマット材１１０では、マット材１１０の内側に第１領域１１５の貫通孔１２１と第２領域１１６の第１主面１１１からなる有底孔１２２が形成されることになる。
【００８０】
また、第１領域１１５の第１主面１１１には無機材料層１３１が形成されているため、巻回されたマット材１１０の内周面には、無機材料層１３１が形成されることになる。
【００８１】
このように巻回されたマット材１１０は、良好な吸音機能を示す。
マット材１１０が良好な吸音機能を示す原理を以下に図面を用いて説明する。
図９は、本発明の第２実施形態に係るマット材の消音機能の原理を模式的に説明する模式図である。
図９に示すように、無機材料層１３１が形成されたマット材１１０を巻回した場合、マット材１１０の第１領域１１５の第１主面１１１は、音Ｓを受ける側の面になる。
マット材１１０の第１領域１１５の第１主面１１１が音を受けると、その音Ｓは、第１領域１１５の貫通孔１２１の側壁、及び、第１領域１１５の貫通孔１２１の底部１２１ａに位置する第２領域１１６の第１主面１１１まで到達することになる。その後、音Ｓは、反射され、減衰するともにマット材１１０内で吸収されることになる。
また、一部の音Ｓは、マット材１１０の第１領域１１５の内部を通り、貫通孔１２１が形成されていない第１領域１１５の第１主面１１１から外部に出ようとする。しかし、マット材１１０の第１領域１１５の第１主面１１１には、無機材料層１３１が形成されているので、この外部に出ようとする音Ｓは、無機材料層１３１により反射される。その結果、音Ｓが外に漏れることを防ぐことができ、効率よく音Ｓを吸収することができる。
【００８２】
本発明の第２実施形態に係るマット材では、無機材料層の厚さは、０．１〜５ｍｍであることが望ましく、０．５〜２ｍｍであることがより望ましい。
無機材料層の厚さが、０．１ｍｍ未満であると、無機材料層があることによる音の反射効果が得られにくくなる。
無機材料層の厚さが、５ｍｍを超えると、無機材料層の柔軟性が損なわれマット材を必要部位に当接する際にクラックが入るなどし、結果的に開口形状が維持されないことがある。
【００８３】
本発明の第２実施形態に係るマット材では、無機材料層は、カルシウム系材料、シリカ系材料、アルミナ系材料、カーボン系材料及びチタン系材料からなる群から選択される少なくとも１種の無機材料からなることが望ましい。
また、無機材料層は、これらの単独の無機材料からなっていてもよく、複数の無機材料からなっていてもよい。
【００８４】
このような無機材料の具体例としては、酸化カルシウム、酸化アルミニウム、酸化ケイ素を１種類以上含む無機材料や、酸化アルミニウム、酸化チタン、酸化ケイ素を２種類以上含む混同材料等があげられる。
【００８５】
本発明の第２実施形態に係るマット材では、無機材料層の密度は２〜６（ｇ／ｃｍ３）であることが望ましい。
また、無機材料層の密度は、無機材料層が形成されていない部分のマット材の密度の３倍以上であることが望ましく、さらに、無機材料層の密度は、無機材料層が形成されていない部分のマット材の密度の３〜３０倍であることが望ましい。
【００８６】
次に本発明の第２実施形態に係るマット材の製造方法について説明する。
本発明の第２実施形態に係るマット材の製造方法は、上記本発明の第１実施形態に係るマット材における（１）繊維層作製工程及び（２）貫通孔形成工程を行った後、以下の（３）無機材料層形成工程を行う。
【００８７】
（３）無機材料層形成工程
本工程では、貫通孔が形成されたマット材の第１領域の第１主面に無機材料層を形成する。無機材料層の形成の方法は、特に限定されないが、例えば、塗布、印刷等が挙げられる。
塗布により無機材料層を形成する方法を以下に説明する。
【００８８】
（無機材料準備ステップ）
本ステップでは、粉末状の無機材料を準備する。なお、無機材料の種類等については、既に説明しているので、ここでの説明は省略する。
【００８９】
（無機材料付与ステップ）
本ステップでは、まず、貫通孔が形成されていない第１領域の第１主面に粉末状の無機材料を付与する。
次に、無機材料に水を付与し、無機材料をスラリー状にする。
このように、第１領域の第１主面に粉末状の無機材料を付与してから無機材料をスラリー状にすることで、形成される無機材料層が強固に固定されることになる。
【００９０】
（乾燥工程）
本ステップでは、スラリー状の無機材料を乾燥させ無機材料層とする。
乾燥の条件としては、特に限定されないが、７０〜１００℃、５〜１５分の条件であることが好ましい。
【００９１】
以上の工程を経て、本発明の第２実施形態に係るマット材を製造することができる。
【００９２】
なお、上記マット材の製造方法では、第１領域の第１主面に粉末状の無機材料を付与してから、無機材料に水を付与し、無機材料をスラリー状にしていた。
しかし、本発明の第２実施形態に係るマット材の製造方法では、第１領域の第１主面にスラリー状の無機材料を直接塗布してもよい。
【００９３】
本発明の第２実施形態に係るマット材は、上記本発明の第１実施形態に係るマット材と同様に巻回された後、筒状体に挿入されることになる。
挿入方法としては、上記第１実施形態に係るマット材と同様の方法を適用することができる。
【００９４】
筒状体としては、消音器であることが望ましい。
上記の通り、本発明の第２実施形態に係るマット材は、良好な吸音機能を示す。従って、本発明の第２実施形態に係るマット材が挿入された消音器も優れた吸音機能を示すことになる。
また、このようなマット材の挿入方法により、効率的に消音器を製造することができる。
【００９５】
消音器としては、自動車のマフラーや、バイクのマフラー等が挙げられる。
【００９６】
（第３実施形態）
次に、本発明の第３実施形態である巻付体について説明する。
図１０は、本発明の第３実施形態に係る巻付体の一例を模式的に示す斜視図である。
図１１（ａ）は、本発明の第３実施形態に係る巻付体に用いられるマット材の一例を模式的に示す斜視図である。図１１（ｂ）は、図１１（ａ）に示すマット材が巻回された状態を模式的に示す斜視図である。
図１２は、本発明の第３実施形態に係る巻付体に用いられる管状体の一例を模式的に示す斜視図である。
【００９７】
図１０に示すように、巻付体２５０は、マット材２１０と、マット材２１０が巻き付けられた管状体２６０とからなる。
【００９８】
図１１（ａ）に示すように、管状体２６０に巻き付けられる前のマット材２１０は、第１主面２１１と、第１主面２１１と反対側の第２主面２１２と、第１端部２１３と、第１端部２１３と反対側の第２端部２１４を有する平面視矩形状である。
また、図１１（ｂ）に示すように、マット材２１０は、２周巻回されることになる。
【００９９】
マット材２１０において、第１主面２１１と管状体２６０とが接する１周目のマット材２１０の領域は第１領域２１５である。また、２周目のマット材２１０の領域は、第２領域２１６である。
さらに第１領域２１５には複数の貫通孔２２１が形成されている。
【０１００】
図１２に示すように、管状体２６０の側壁には、管状体貫通孔２６１が形成されている。
【０１０１】
巻付体２５０では、マット材２１０は、貫通孔２２１を有する第１領域２１５と、第１領域２１５に隣接する第２領域２１６を有する。
また、巻付体２５０では、マット材２１０の第１主面２１１を内側にして、第１領域２１５が管状体２６０に巻付けられ、その外側（すなわち第１領域２１５の第２主面２１２側）を第２領域２１６が巻き付けられている。
マット材２１０の第１領域２１５の第２主面２１２側の貫通孔２２１の底部には、マット材２１０の第２領域２１６の第１主面２１１が位置する。そのため、巻付体２５０では、マット材２１０の第１領域２１５の貫通孔２２１とマット材２１０の第２領域２１６の第１主面２１１とが有底孔を形成している。
このような巻付体２５０は、第１領域２１５に貫通孔２２１を形成したマット材２１０を用いることにより容易に作製することができる。
【０１０２】
本発明の第３実施形態である巻付体におけるマット材は、上記第１実施形態又は第２実施形態に係るマット材であることが望ましい。
マット材の望ましい材料や形状に関しては、上記第１実施形態に係るマット材及び上記第２実施形態係るマット材の望ましい材料や形状と同じである。
【０１０３】
特に、マット材は、無機繊維からなり、第１主面には、無機材料層が形成されていること（すなわち、上記第２実施形態に係るマット材であること）が望ましい。
この場合、本発明の第３実施形態に係る巻付体を筒状の消音器に挿入することにより消音機能を向上させることができる。その原理を以下に説明する。
本発明の第３実施形態に係る巻付体を筒状の消音器に挿入した場合、マット材の第１領域の第１主面は、管状体の管状体貫通孔を通った音を受ける面になる。
マット材の第１領域の第１主面が音を受けると、その音は、第１領域の貫通孔の側壁、及び、第１領域の貫通孔の底部に位置する第２主面の第１領域まで到達することになる。その後、音は、反射され、減衰するともにマット材内で吸収されることになる。
また、一部の音は、マット材の第１領域の内部を通り、貫通孔が形成されていない第１領域の第１主面から外部に出ようとする。しかし、マット材の第１領域の第１主面には、無機材料層が形成されているので、この外部に出ようとする音は、無機材料層により反射される。その結果、音が外に漏れることを防ぐことができ、効率よく音を吸収することができる。
【０１０４】
本発明の第３実施形態に係る巻付体では、管状体の形状は特に限定されないが、底部の形状が、円状、楕円状、三角形状、四角形状、五角形状、六角形状、八角形状等であってもよい。これらの中では、円状又は楕円状であることが望ましい。
管状体の底部の形状が円状又は楕円状であると、マット材は、管状体に円状又は楕円状に巻き付いている。
このように巻き付けられたマット材は、外部からの圧力が集中しにくくなり、破損しにくくなる。
【０１０５】
本発明の第３実施形態に係る巻付体では、管状体は、パンチングメタルからなることが望ましい。
パンチングメタルは、消音器における消音機構として機能する。
そのため、本発明の第３実施形態に係る巻付体をそのまま消音器の部品として使用することができる。
また、パンチングメタルの材料としては、ステンレス鋼、アルミニウム、スチール、チタン、インコネル等であってもよい。
【０１０６】
管状体の厚さは、特に限定されないが、０．３〜３ｍｍであることが望ましく、１〜２ｍｍであることがより望ましい。
【０１０７】
管状体の底面が円状である場合、その半径は、１５〜１００ｍｍであることが望ましく、２０〜５０ｍｍであることがより望ましい。
【０１０８】
本発明の第３実施形態に係る巻付体の製造方法としては、管状体と、上記第１実施形態に係るマット材又は上記第２実施形態に係るマット材とを準備し、マット材の第１領域の第１主面が管状体と接するように、マット材を管状体に巻き付けることにより製造することができる。
【０１０９】
マット材の固定方法としては、特に限定されないが、例えば無機バインダ等を用いて固定してもよく、テープ等で固定してもよい。
なお、無機バインダとしは特に限定されず、アルミナゾル、シリカゾル等が使用できる。
【０１１０】
本発明の第３実施形態に係る巻付体は、筒状体に挿入されて使用されることになる。
筒状体としては、消音器であることが望ましい。
本発明の第３実施形態に係る巻付体を用いることで、消音器の消音機能を向上させることができる。
【０１１１】
（その他の実施形態）
本発明の第１実施形態〜第３実施形態に係るマット材は丁度２周巻回できる長さのマット材であった。
しかし、本発明のマット材は、少なくとも２周巻回できる長さであれば丁度２周巻回できる長さより長くてもよい。
また、マット材の長さは、丁度周回できる長さでなくてもよく、例えば、２周半できる長さであってもよく、２周と３／４周できる長さであってもよい。
【０１１２】
また、本発明のマット材が、２周以上巻回できる長さである場合も、第１領域及び第２領域は、本発明のマット材を少なくとも２周巻回することにより定まり、１周目に巻回される領域が第１領域であり、２周目に巻回される領域が第２領域である。
【符号の説明】
【０１１３】
１０、１１０、２１０  マット材
１０´  繊維層
１１、１１１、２１１  第１主面
１１ａ、１１ｂ  第１主面の端部
１２、１１２、２１２  第２主面
１２ａ、１２ｂ  第２主面の端部
１３、１１３、２１３  第１端部
１４、１１４、２１４  第２端部
１５、１１５、２１５  第１領域
１５´  第１領域となる領域
１６、１１６、２１６  第２領域
１６´  第２領域となる領域
２１、１２１、２２１  貫通孔
２１ａ、１２１ａ  貫通孔の底部
２２、１２２、２２２  有底孔
４０  筒状体
１３１  無機材料層
２５０  巻付体
２６０  管状体
２６１  管状体貫通孔
【図１】
2020067033.tif 000003
【図２】
2020067033.tif 000004
【図３】
2020067033.tif 000005
【図４】
2020067033.tif 000006
【図５】
2020067033.tif 000007
【図６】
2020067033.tif 000008
【図７】
2020067033.tif 000009
【図８】
2020067033.tif 000010
【図９】
2020067033.tif 000011
【図１０】
2020067033.tif 000012
【図１１】
2020067033.tif 000013
【図１２】
2020067033.tif 000014